(57)【要約】【課題】筐体の開封を確実に検知可能な開封検知機能を有し、かつ、筐体を開封しようとする者が筐体の開封の検知を容易に阻止し得ない磁気記録装置の提供を目的とする。【解決手段】磁気記録装置１は、基板１１上に磁性層１２を有する磁気ディスク１０と、磁気ディスク１０の磁性層１２に対する各種情報の記録・再生を実行する磁気ヘッド４とを有すると共に、磁気ヘッド４および磁気ディスク１０を収容する筐体２と、筐体２内に配置された開封検知センサ９とを備える。筐体２には、空気中における含有量が少ないか、あるいは、空気中に含まれていない所定の気体Ｇが封入されており、開封検知センサ９は、筐体２の内部における所定の気体Ｇの濃度変化を検知可能である。【選択図】　　　　図１
2004054996.tif 000002
【特許請求の範囲】
【請求項１】
基板上に磁性層を有する磁気記録媒体と、この磁気記録媒体の前記磁性層に対する各種情報の記録・再生を実行する磁気ヘッドとを有する磁気記録装置において、
前記磁気記録媒体を収容する筐体と、
前記筐体内に配置されたセンサとを備え、
前記筐体には、空気中における含有量が少ないか、あるいは、空気中に含まれていない所定の気体が封入されており、前記センサは、前記筐体内部における前記所定の気体の濃度変化を検知可能であることを特徴とする磁気記録装置。
【請求項２】
前記筐体の内部に設けられており、前記磁気記録媒体および前記磁気ヘッドが収容される気密室を更に備え、前記気密室の内部には、空気が封入されていることを特徴とする請求項１に記載の磁気記録装置。
【発明の詳細な説明】
【０００１】
【発明の属する技術分野】
本発明は、磁性層を有する磁気記録媒体を備えた磁気記録装置に関する。
【０００２】
【従来の技術】
現在では、市販されているパソコン等の端末機器に様々なコンテンツが予めインストールされている。また、インターネット等の電気通信回線の普及により、ユーザは、電気通信回線を介して所望のコンテンツを入手（ダウンロード）して、入手したコンテンツを容易に利用できるようになっている。その一方で、様々なコンテンツが容易に幅広く頒布されるようになればなるほど、コンテンツの不正使用を確実に防止して、著作権の保護を強化する必要が生じる。
【０００３】
コンテンツの不正使用を防止するために、従来から、ＩＤ番号やパスワード等を設定することにより、コンテンツの不正使用を制限することが行なわれている。しかしながら、正当な契約者がＩＤ番号やパスワードを第三者に漏洩した場合、当該第三者はそのコンテンツを容易に不正使用できてしまう。このため、コンテンツの不正使用を防止する新たな対策として、コンテンツを記録する記録媒体自体にもＩＤ番号等を埋め込んでおき、埋め込まれたＩＤ番号に基づいてコンテンツの利用を可能にする解除キー（コンテンツキー）を取得または作成することにより、コンテンツの利用を許容するシステムが提案されている。
【０００４】
【発明が解決しようとする課題】
しかしながら、専門の知識や技術をもつ者にとって、ハードディスク装置等を分解して記録媒体の記録内容を磁気ヘッドにより読み取り、信号処理を施してＩＤを盗用することは、さほど困難なことではない。この点を踏まえれば、コンテンツを供給する者の権利を保護しつつ、インターネット等を介したコンテンツ配信等の普及を図る上では、筐体が開封された段階で何らかの手段により磁気記録媒体からのコンテンツやＩＤ等の読み取りを不能にしてしまうのが有効であると考えられる。そして、このためには、まず、ハードディスク装置等の筐体が開封されたことを確実に検知することが極めて重要となる。
【０００５】
ここで、ハードディスク装置等の磁気記録装置の中には、筐体が開封されるとオンするリミットスイッチがその筐体に設けられているものも存在している。このような磁気記録装置では、筐体が開封されてリミットスイッチがオンした段階で何らかの手段により磁気記録媒体からのコンテンツやＩＤ等の読み取りを不能にすることが可能となる。しかしながら、リミットスイッチの配置箇所が一旦わかってしまうと、リミットスイッチがオンしないように筐体を開封することも可能となってしまうので、このような筐体の開封検知手段は、コンテンツ等の不正使用をより一層確実に阻止する上では、実効性の面で問題を有している。また、大量生産される磁気記録装置の場合、各個体ごとにリミットスイッチの配置箇所を変えることは、製造コストや製造効率の面から現実的ではない。
【０００６】
そこで、本発明は、筐体の開封を確実に検知可能な開封検知機能を有し、かつ、筐体を開封しようとする者が筐体の開封の検知を容易に阻止し得ない磁気記録装置の提供を目的とする。
【０００７】
【課題を解決するための手段】
本発明による磁気記録装置は、基板上に磁性層を有する磁気記録媒体と、この磁気記録媒体の磁性層に対する各種情報の記録・再生を実行する磁気ヘッドとを有する磁気記録装置において、磁気記録媒体を収容する筐体と、筐体内に配置されたセンサとを備え、筐体には、空気中における含有量が少ないか、あるいは、空気中に含まれていない所定の気体が封入されており、センサは、筐体内部における所定の気体の濃度変化を検知可能であること特徴とする。
【０００８】
この磁気記録装置では、磁気記録媒体を収容する筐体の内部に、空気中における含有量が少ないか、あるいは、空気中に含まれていない所定の気体が封入されている。従って、専門の知識や技術をもつ者等が磁気記録媒体の記録内容を不正に読み取ろうとして筐体を開封した場合、直ちに筐体の内部に周囲の空気が流入する。これにより、筐体内部における当該所定の気体の濃度が変化し、その濃度変化を検知するセンサによって筐体の開封が確実に検知されることになる。また、この磁気記録装置では、筐体をどこから開封しても、一旦筐体が開封されてしまえば、必ず筐体の内部に空気が流入し、筐体内部における当該所定の気体の濃度が変化するので、筐体を開封しようとする者がセンサによる筐体の開封の検知を阻止することは極めて困難である。
【０００９】
この結果、この磁気記録装置によれば、センサによって筐体の開封が検知された段階で何らかの手段により磁気記録媒体からのコンテンツやＩＤ等の読み取りを不能にすることにより、コンテンツ等の不正使用を極めて確実に阻止することができる。
【００１０】
また、筐体の内部に設けられており、磁気記録媒体および磁気ヘッドが収容される気密室を更に備え、気密室の内部に空気が封入されていると好ましい。
【００１１】
一般に、磁気記録装置は、記録・再生が行なわれる際に磁気ヘッドと磁性層との間のギャップ（磁気ヘッドの浮上量）が空気中においておよそ数ｎｍ程度となるように設計される。そして、このような磁気ヘッドと磁性層との間のギャップを概ね一定に保つことは、記録・再生性能を安定化させる上で極めて重要である。これに対して、磁気ヘッドおよび記録媒体の周囲に存在する気体が空気以外となった場合、磁気ヘッドと磁性層との間のギャップが空気中におけるギャップから変化し、所望の記録・再生性能を得るためには、磁気ヘッドや磁気記録媒体に関連する設計の見直しを図る必要が生じてしまう。
【００１２】
この点に鑑みて、この磁気記録装置では、筐体の内部に、磁気記録媒体および磁気ヘッドを収容する気密室が設けられており、この気密室の内部には、空気が封入されている。これにより、気密室の内部の諸条件を一般的な磁気記録装置の筐体の内部と同様のものとすることが可能となり、空気中で動作することを前提に設計されている磁気ヘッドおよび磁気記録媒体をそのまま用いることが可能となる。
【００１３】
【発明の実施の形態】
以下、図面と共に本発明による磁気記録装置の好適な実施形態について詳細に説明する。
【００１４】
図１は、本発明による磁気記録装置を示す概略構成図である。同図に示される磁気記録装置１は、コンピュータ用外部記憶装置（ハードディスク装置）を始めとして、各種用途に適用可能なものである。同図に示されるように、磁気記録装置１は、筐体２を有しており、筐体２の内部には、磁気ディスク（磁気記録媒体）１０が収容されている。
【００１５】
磁気ディスク１０は、アルミ、ガラス、あるいは、プラスチック等の樹脂等からなる円盤状の基板１１を含む。基板１１の表面（図２における上面）のほぼ全体には、様々なコンテンツやコンテンツを利用するために必要なＩＤといった各種情報を記録させることができる磁性層１２が環状に形成されている。この磁性層１２の上には、スピンコータによって潤滑層１４が形成されている。このような磁気ディスク１０は、スピンドルモータ３の回転軸３ａに取り付けられ、スピンドルモータ３によって所望速度で回転駆動される。
【００１６】
また、筐体２の内部には、磁気ディスク１０に対する情報の読取／書込を行う磁気ヘッド（スライダ）４、および、その先端に磁気ヘッド４を支持するヘッドアーム（サスペンション）５が配置されている。ヘッドアーム５は、ボイスコイルモータ（アクチュエータ）６によって旋回移動させられ、これにより、磁気ヘッド４は、磁気ディスク１０の所望のトラック上に位置決めされる。更に、筐体２の内部には、磁気ヘッド４による読取／書込、スピンドルモータ３の動作、および、ボイスコイルモータ６の動作等を制御する制御回路等が実装された回路基板７が配置されている。筐体２内の磁気ディスク１０の側方には、ディスク回転停止時に、磁気ヘッド４を待避させるためのランプ（図示省略）等が配置されている。
【００１７】
図２は、上述の磁気記録装置１に含まれる筐体２の構造を説明するための断面図である。図２に示されるように、筐体２は、それぞれ熱を加えると溶融する材料によって形成されている上側半部２ａと下側半部２ｂとから構成される。上側半部２ａおよび下側半部２ｂのうちの一方（本実施形態では、上側半部２ａ）には、開放部（図２における下側開放部）を除いて、開口等が一切存在していない。これに対して、上側半部２ａおよび下側半部２ｂのうちの他方（本実施形態では、下側半部２ｂ）には、外部との連通口を画成する突出部２ｃが形成されている。上側半部２ａと下側半部２ｂとは、両者の内部に磁気ヘッド４や磁気ディスク１０といった構成部品を収容すると共に両者の端部同士を付き合わせた状態で、超音波溶着機の振動体Ｖとベース体Ｂとの間に配置され、強固かつ密に超音波溶着される。
【００１８】
磁気ヘッド４や磁気ディスク１０といった構成部品を収容した状態で強固かつ密に接合された上側半部２ａおよび下側半部２ｂすなわち筐体２の内部には、例えばＡｒのような空気中における含有量が少ない所定の気体Ｇ、あるいは、例えばＨｅのような空気中に含まれていない所定の気体Ｇが封入される。
【００１９】
このような気体Ｇを筐体２の内部に封入するに際しては、まず、突出部２ｃの開口を利用して筐体２の内部を減圧させた後、突出部２ｃから気体Ｇを筐体２の内部に導入する。そして、図３（ａ）に示されるように、突出部２ｃにタングステンやニッケル・クロム等の給電されると発熱する素材からなる板体２ｈを配置すると共に、板体２ｈに電流を印加する。これにより、突出部２ｃが板体２ｈの熱により溶融し、図３（ｂ）に示されるように、突出部２ｃと板体２ｈとが溶着する。この結果、筐体２は、完全に密閉され、かつ、筐体２の内部に気体Ｇが封入されることになる。
【００２０】
更に、筐体２の内部には、筐体２の内部における気体Ｇの濃度変化を検知可能な開封検知センサ９（図１参照）が配置されている。開封検知センサ９は、回路基板７に接続されており、筐体２の内部における気体Ｇの濃度が筐体２の未開封時の濃度から所定量だけ変化したことを検知すると、開封検知信号を回路基板７に組み込まれている所定のスイッチング回路に与える。回路基板７のスイッチング回路は、開封検知センサ９から開封検知信号を受け取ると、筐体２の内部に配置されており、磁気ディスク１０のコンテンツを読み取り不能とする手段を作動させる。このようなコンテンツを読み取り不能とする手段としては、磁気ディスク１０を加熱して消磁させ、コンテンツを消去する手段や、磁気ディスク１０に衝撃や熱を与えて、コンテンツを読み取り不能にする手段を採用することができる。
【００２１】
なお、開封検知センサ９は、筐体２の内部における気体Ｇの濃度変化を検知可能なものであれば、どのような構成、作用を有するものであってもよい。すなわち、開封検知センサ９は、筐体２に封入されている気体Ｇに感度を有して気体Ｇの濃度をモニタするものであってもよく、空気中に多く含まれている気体（例えば窒素、酸素等）に感度を有して窒素等の気体の濃度をモニタするものであってもよい。
【００２２】
さて、本発明による磁気記録装置１では、上述のように、磁気ディスク１０を収容する筐体２の内部に、空気中における含有量が少ないか、あるいは、空気中に含まれていない所定の気体Ｇが封入されている。従って、専門の知識や技術をもつ者等が磁気ディスク１０の記録内容を不正に読み取ろうとして筐体２を開封した場合、直ちに筐体２の内部に周囲の空気が流入する。これにより、筐体２の内部における気体Ｇの濃度が変化し、その濃度変化を検知する開封検知センサ９によって筐体２の開封が確実に検知されることになる。また、磁気記録装置１では、筐体２をどこから開封しても、一旦筐体２が開封されてしまえば、必ず筐体２の内部に空気が流入し、筐体２の内部における気体Ｇの濃度が変化するので、筐体２を開封しようとする者が開封検知センサ９による筐体２の開封の検知を阻止することは極めて困難である。
【００２３】
そして、磁気記録装置１では、開封検知センサ９によって筐体２の開封が検知された段階で、コンテンツを読み取り不能にする手段が作動されるので、コンテンツ等の不正使用を極めて確実に阻止することが可能となる。
【００２４】
なお、磁気記録装置１の内部では、記録・再生動作中に熱が発生することから、筐体２を構成する上側半部２ａおよび下側半部２ｂの少なくとも何れか一方に、図４に示されるような金属製の放熱部材２０を強固かつ密に固定しておくとよい。図４に示される磁気記録装置１Ａでは、下側半部２ｂが金属板と熱溶融性材料とから構成されている。
【００２５】
図５は、本発明による磁気記録装置の更に他の実施形態を示す概略構成図である。なお、先の実施形態に関して説明されたものと同一の要素については、同一の符号が付され、重複する説明は省略される。
【００２６】
図５に示される磁気記録装置１Ｂでは、筐体２の内部に、隔壁３０が配置されている。この隔壁３０は、下側半部２ｂの底面と共に、スピンドルモータ３、磁気ヘッド４、ヘッドアーム５、ボイスコイルモータ６、磁気ディスク１０といった情報の記録・再生に関連する構成部品が収容される気密室３１を画成する。そして、磁気記録装置１Ｂでは、筐体２と隔壁３０との間に画成される空間部に、空気中における含有量が少ないか、あるいは、空気中に含まれていない所定の気体Ｇが封入される一方、隔壁３０によって画成される気密室３１の内部には、空気が封入される。
【００２７】
このような構成が好ましい理由は、次のとおりである。すなわち、一般に、磁気記録装置は、記録・再生が行なわれる際に磁気ヘッドと磁性層との間のギャップが空気中においておよそ数ｎｍ程度となるように設計される。そして、このような磁気ヘッドと磁性層との間のギャップを概ね一定に保つことは、記録・再生性能を安定化させる上で極めて重要である。これに対して、磁気ヘッドおよび記録媒体の周囲に存在する気体が空気以外となった場合、磁気ヘッドと磁性層との間のギャップが空気中におけるギャップから変化し、所望の記録・再生性能を得るためには、磁気ヘッドや磁気記録媒体に関連する設計の見直しを図る必要が生じてしまう。
【００２８】
これに対して、図５の磁気記録装置１Ｂでは、スピンドルモータ３、磁気ヘッド４、ボイスコイルモータ６、磁気ディスク１０といった情報の記録・再生に関連する構成部品が収容される気密室３１の内部は、一般的な磁気記録装置の筐体の内部と同様に空気で満たされている。従って、気密室３１の内部の諸条件を一般的な磁気記録装置の筐体の内部と同様のものとすることが可能となる。これの結果、磁気記録装置１Ｂでは、空気中で動作することを前提に設計されている磁気ヘッド４および磁気ディスク１０等をそのまま用いることが可能となる。
【００２９】
もちろん、この磁気記録装置１Ｂにおいても、筐体２と隔壁３０との間に画成される空間部には、空気中における含有量が少ないか、あるいは、空気中に含まれていない所定の気体Ｇが封入されているので、専門の知識や技術をもつ者等が磁気ディスクの記録内容を不正に読み取ろうとして筐体２を開封した場合、直ちに筐体２の内部に周囲の空気が流入する。これにより、筐体２の内部における気体Ｇの濃度が変化し、その濃度変化を検知する開封検知センサ９によって筐体２の開封が確実に検知されることになる。また、磁気記録装置１Ｂでも、筐体２をどこから開封しても、一旦筐体２が開封されてしまえば、必ず筐体２の内部に空気が流入して筐体２の内部における気体Ｇの濃度が変化するので、筐体２を開封しようとする者が開封検知センサ９による筐体２の開封の検知を阻止することは極めて困難である。
【００３０】
【発明の効果】
以上説明されたように、本発明によれば、筐体の開封を確実に検知可能な開封検知機能を有し、かつ、筐体を開封しようとする者が筐体の開封の検知を容易に阻止し得ない磁気記録装置の実現が可能となる。
【図面の簡単な説明】
【図１】本発明による磁気記録装置を示す概略構成図である。
【図２】図１の磁気記録装置に含まれる筐体の構造を説明するための断面図である。
【図３】（ａ）および（ｂ）は、筐体内に所定の気体を封入するための構造を説明する模式図である。
【図４】本発明による磁気記録装置の他の実施形態を示す概略構成図である。
【図５】本発明による磁気記録装置の更に他の実施形態を示す概略構成図である。
【符号の説明】
１，１Ａ，１Ｂ　磁気記録装置
２　筐体
２ａ　上側半部
２ｂ　下側半部
２ｃ　突出部
２ｈ　板体
３　スピンドルモータ
４　磁気ヘッド
５　ヘッドアーム
６　ボイスコイルモータ
７　回路基板
９　開封検知センサ
１０　磁気ディスク
１１　基板
１２　磁性層
１４　潤滑層
２０　放熱部材
３０　隔壁
３１　気密室
Ｇ　気体
【図１】
2004054996.tif 000003
【図２】
2004054996.tif 000004
【図３】
2004054996.tif 000005
【図４】
2004054996.tif 000006
【図５】
2004054996.tif 000007